(57)【要約】【目的】書籍やビデオテープカセット等のようなほぼ盤状の商品を陳列する陳列棚において、背表紙を正面に向けて起立状に載置された多数の商品のうち、特定の展示用商品を表側表紙を正面に向けて展示せしめるための商品展示補助装置を提供する。【構成】背板に沿って棚板の奥端上に設置することにより棚板の奥行きを規制する規制部材と、棚板の奥行き方向に交差する受部と該受部を前記規制部材に連結するアーム部とを備えたスタンド部材とから構成され、前記スタンド部材は、受部を棚板の前端近傍に位置せしめる展示使用位置Ｐ１と、受部を規制部材の上方に位置せしめた格納位置Ｐ２との間において、該受部を前記アーム部を介してシフトせしめる構成である。【選択図】        図５
2004174144.tif 000002
【特許請求の範囲】
【請求項１】
背板１に向けて所定の奥行き寸法を有する棚板２を配置し、ほぼ盤状の商品３を棚板の奥行き方向に沿わせて棚板の上に起立せしめると共に、複数の商品を棚板の長手方向に横向き積層状に重ね合わせて陳列せしめるように構成した商品の陳列棚において、
背板に沿って棚板の奥端上に設置することにより棚板の奥行きを規制する規制部材４と、棚板の奥行き方向に交差する受部５ａと該受部を前記規制部材に連結するアーム部５ｂとを備えたスタンド部材５とから構成され、
前記スタンド部材５は、受部５ａを棚板の前端近傍に位置せしめる展示使用位置Ｐ１と、受部５ａを規制部材の上方に位置せしめた格納位置Ｐ２との間において、該受部５ａを前記アーム部５ｂを介してシフト可能に構成して成ることを特徴とする商品の陳列棚における商品展示補助装置。
【請求項２】
規制部材４は、前記アーム部５ｂを起立位置から伏臥位置まで回動可能に内嵌せしめる溝手段８を備え、該溝手段の内部においてアーム部５ｂの挿入端を規制部材４に枢支９しており、該挿入端から延びるアーム部５ｂの延長端をスタンド部材の受部５ａに回動自在に枢支１０して成ることを特徴とする請求項１に記載の商品の陳列棚における商品展示補助装置。
【請求項３】
スタンド部材５は、展示使用位置Ｐ１における受部５ａから下向きに延びると共に下端に展示用商品３Ａの底部を受ける折曲片１２ｂを備えたアタッチメント１２を設けて成ることを特徴とする請求項１又は２に記載の商品の陳列棚における商品展示補助装置。
【発明の詳細な説明】
【０００１】
【発明の属する技術分野】
本発明は、書籍やビデオテープカセット等のようなほぼ盤状の商品を陳列する陳列棚において、背表紙を正面に向けて起立状に載置された多数の商品のうち、特定の展示用商品を表側表紙を正面に向けて展示せしめるための商品展示補助装置に関する。
【０００２】
【従来の技術】
従来、例えば、書店において商品としての書籍を陳列するための陳列棚は、背板に向けて所定の奥行き寸法を有する棚板を多段状に配置し組付けた構成とされている。そこで、ほぼ盤状の形態を呈する書籍は、棚板の奥行き方向に沿わせて棚板の上に起立せしめられ、多数の書籍を棚板の長手方向に積層状に重ね合わせた状態で陳列されている。
【０００３】
ところで、衆知の通り、書籍の大きさは様々であり、陳列する書籍の寸法が小さくなると、棚板の奥行き寸法が余ることになる。一般的に体裁を良く見せるため、書籍の背表紙を棚板の前端近傍に揃えて臨ましめているが、この場合、書籍の背部には背板から離れた空間が形成されている。従って、顧客が書籍を棚板から取出した後に戻す際には、棚板の奥端まで書籍を差し込むので、揃えられていた多数の書籍の背表紙が凹凸状の不揃いとなり体裁が悪い。
【０００４】
このため、従来、背板に沿って棚板の奥端上に設置することにより棚板の奥行きを規制する規制部材が使用されている。即ち、規制部材を設置することにより棚板の有効奥行き寸法は小さくなり、棚板に書籍を載置したとき、書籍の背部が規制部材に当接される。このようにして、横向き積層状に陳列された多数の書籍は、相互に背表紙を棚板の前端近傍に揃えられる。
【０００５】
規制部材を断面長方形の角材又は角パイプにより構成すると、相対向する長辺部と短辺部が形成される。この場合、棚板の奥行きに対して、規制部材の長辺部を利用したときの棚板の有効奥行き寸法Ｗ１と、規制部材の短辺部を利用したときの棚板の有効奥行き寸法Ｗ２は、Ｗ１＜Ｗ２となるので、奥行き寸法の調節が可能となる。
【０００６】
また、従来、棚板上において、背表紙を正面に向けて横向き積層状に陳列された多数の書籍のうち、新刊の書籍等、特定の展示用の書籍を表側表紙を正面に向けて展示せしめることが行われている。この場合、表側表紙を正面に向けた状態で、展示用の書籍をやや後傾姿勢にて支持するための専用のスタンドが利用されている。
【０００７】
【発明が解決しようとする課題】
従来技術として前述した規制部材とスタンドは、それぞれ別個独立に構成されており、それぞれの目的のために相互無関係に使用されている。このため、例えば、書店において、前述のようなスタンドが必要になったとき、今までに使用したことのあるスタンドを倉庫の中で捜すか、或いは、新規に注文した後、納品まで待たなければならないという不便がある。
【０００８】
【課題を解決するための手段】
本発明は、前述のような規制部材とスタンドが何れも陳列棚の棚板に関して使用されることから、相互に組合せ状態で構成するのが望ましいことを知見し、特に、規制部材の役割がそもそも棚板の奥端部にデッドスペースを形成するという点に着目し、スタンドの使用が必要でないときは該デッドスペースを利用することによりスタンドを格納できるように構成することが有利であることを知得したものである。
【０００９】
そこで、本発明が手段として構成したところは、背板に向けて所定の奥行き寸法を有する棚板を配置し、ほぼ盤状の商品を棚板の奥行き方向に沿わせて棚板の上に起立せしめると共に、複数の商品を棚板の長手方向に横向き積層状に重ね合わせて陳列せしめるように構成した商品の陳列棚において、背板に沿って棚板の奥端上に設置することにより棚板の奥行きを規制する規制部材と、棚板の奥行き方向に交差する受部と該受部を前記規制部材に連結するアーム部とを備えたスタンド部材とから構成され、前記スタンド部材は、受部を棚板の前端近傍に位置せしめる展示使用位置と、受部を規制部材の上方に位置せしめた格納位置との間において、該受部を前記アーム部を介してシフト可能に構成して成る点にある。
【００１０】
規制部材は、アーム部を起立位置から伏臥位置まで回動可能に内嵌せしめる溝手段を備え、該溝手段の内部においてアーム部の挿入端を規制部材に枢支しており、該挿入端から延びるアーム部の延長端をスタンド部材の受部に回動自在に枢支していることが好ましい。
【００１１】
スタンド部材にはアタッチメントを設けていることが好ましく、該アタッチメントは、展示使用位置における受部から下向きに延びると共に下端に展示用商品の底部を受ける折曲片を備えている。
【００１２】
【発明の実施の形態】
以下図面に基づいて本発明の好ましい実施形態を詳述する。
【００１３】
図１に示すように、陳列棚は、背板１に向けて所定の奥行き寸法を有する棚板２を配置しており、棚板２に商品３を載置することにより陳列せしめるように構成されている。
【００１４】
陳列棚は、木製又は金属製その他とされ、商品を販売する店舗に既に設置された公知のものであり、図１に示す棚板２は、上面の全体を平坦面に形成しているが、図２に示す棚板２は、前端近傍に沿う上面に断面ほぼＶ形の凹部２ａを形成している。
【００１５】
商品３は、書籍やビデオテープカセット等のようなほぼ盤状を呈する商品であり、棚板２の奥行き方向に沿わせて棚板２の上に起立せしめられると共に、複数の商品３を棚板２の長手方向に横向き積層状に重ね合わせて陳列せしめられる。従って、多数の商品３は背表紙３ａを正面に向けて棚板２に載置されるが、販促用のための特定の商品３Ａは、展示用商品として、表側表紙３ｂを正面に向けて展示せしめられる。
【００１６】
本発明の商品展示補助装置は、背板１に沿って棚板２の奥端上に設置される規制部材４と、棚板２の奥行き方向に交差する受部５ａと該受部を前記規制部材４に連結するアーム部５ｂとを備えたスタンド部材５とから構成されている。尚、スタンド部材５は、規制部材４の長手方向に所定の等間隔をあけて列設されている。
【００１７】
規制部材４は、背板１に沿って棚板２の奥端上に設置することにより棚板２の奥行きを規制する。即ち、規制部材４を設置することにより棚板２の有効奥行き寸法が小さくなり、棚板２に商品３を載置したとき、商品３の背部が規制部材４に当接され、このようにして横向き積層状に陳列された多数の商品３は、相互に背表紙３ａを棚板２の前端近傍に揃えられる。
【００１８】
図示実施例において、規制部材４は、断面長方形の角材又は角パイプにより構成され、相対向する長辺部と短辺部を有し、長辺部により形成される長面部４ａと、短辺部により形成される短面部４ｂとを備えている。従って、棚板２に規制部材４を設置するに際し、図１に示すように長面部４ａを棚板２の奥行きに向けて設置すると、規制部材４の直立した短面部４ｂから前側に延びる棚板２の有効奥行き寸法Ｗ１が小さく形成される。その反面、図３に示すように短面部４ｂを棚板２の奥行きに向けて設置すると、規制部材４の直立した長面部４ａから前側に延びる棚板２の有効奥行き寸法Ｗ２は大きく形成される。即ち、Ｗ１＜Ｗ２となるので、設置に際して規制部材４の向きを変えるだけで、棚板２の有効奥行き寸法の調節が可能となる。このため、幅寸法（奥行き寸法）の小さい商品３を陳列するときは、図１に示すような有効奥行き寸法Ｗ１とすることにより、また、幅寸法（奥行き寸法）の大きい商品３を陳列するときは、図３に示すような有効奥行き寸法Ｗ２とすることにより、何れの場合も、横向き積層状に陳列された多数の商品３の背表紙３ａを棚板２の前端近傍に揃えることができる。
【００１９】
規制部材４に列設されたスタンド部材５のそれぞれの構成は図示のように相互に同一構成とされており、図５に示す拡大図から明瞭なように、スタンド部材５を構成する受部５ａは、棚板２の奥行き方向と平行な基板部６の前縁から後傾縁６ａを介してほぼ直角に折曲された受板部７を備えた構成とされており、従って、受板部７は、棚板２の奥行き方向に交差すると共に、下から上に向けて次第に背板１の方向に傾斜するように後傾せしめられている。
【００２０】
アーム部５ｂは、図示のように、受部５ａを棚板２の前端近傍に位置せしめる展示使用位置Ｐ１と、受部５ａを規制部材４の上方に位置せしめた格納位置Ｐ２との間において、受部５ａをシフト可能となるように移動せしめるためのものであり、受部５ａを規制部材４に対して連結する。
【００２１】
受部５ａの姿勢を展示使用位置Ｐ１と格納位置Ｐ２の間においてシフト可能にするためには、アーム部５ｂを規制部材４に対してそれぞれの位置Ｐ１、Ｐ２に保持されるように着脱自在な構成としても良いが、図示実施例においては、アーム部５ｂを回動せしめることにより受部５ａをそれぞれの位置Ｐ１、Ｐ２の間で旋回せしめるように構成している。
【００２２】
このため、規制部材４は、アーム部５ｂを起立位置（格納位置Ｐ２）から伏臥位置（展示使用位置Ｐ１）まで回動可能に内嵌せしめる溝手段８を備えており、該溝手段８の内部においてアーム部５ｂの挿入端を規制部材４に枢軸９を介して枢支し、該挿入端から延びるアーム部５ｂの延長端をスタンド部材５の基板部６に枢軸１０を介して枢支している。図例の場合、枢軸９、１０は、棚板２の長手方向と平行な軸を構成するが、ボールジョイントにより構成しても良い。また、枢軸９は、図５に示すように、規制部材４のブラケット等に設けた軸受部１１に対して、ワンタッチで着脱自在とされるように構成することが好ましい。
【００２３】
規制部材４に設けた溝手段８は、長面部４ａと短面部４ｂに跨がってほぼＬ形に延びるように形成されており、長面部４ａに位置する長溝部８ａと短面部４ｂに位置する短溝部８ｂを連通状に連設せしめている。
【００２４】
本発明の好ましい実施例において、受部５ａの受板部７には、アタッチメント１２が設けられている。アタッチメント１２は、表側表紙３ｂを正面に向けて展示される展示用商品３Ａを支持するためのものであり、展示使用位置Ｐ１における受部５ａの受板部７に重ねて取付けられる平板部１２ａから下向きに延びると共に下端に展示用商品３Ａの底部を受ける折曲片１２ｂを備えており、平板部１２ａを受板部７に対して、突起１３と孔１４等から成る取付手段１５を介して着脱自在に取付けられている。
【００２５】
（第１使用例その１）
図１は、規制部材４の長面部４ａを棚板２の奥行き方向に向けて設置し、該規制部材４の直立した短面部４ｂから前側に延びる棚板２の有効奥行き寸法Ｗ１を小さく形成せしめた使用例であり、棚板２は、上面の全体を平坦面に形成している。スタンド部材５は、枢軸９を介してアーム部５ｂを起立位置（格納位置Ｐ２）と伏臥位置（展示使用位置Ｐ１）の間で回動可能とするように構成され、受部５ａの受板部７にはアタッチメント１２を取付けている。
【００２６】
この使用例において、商品３は背部を規制部材４の短面部４ｂに当接せしめるように棚板２の奥行き方向に沿わせて起立載置され、多数の商品３が棚板２の長手方向に横向き積層状に重ね合わせて陳列せしめられ、この部分に位置するスタンド部材５は、アーム部５ｂを起立せしめることにより受部５ａを規制部材４の上方の格納位置Ｐ２に位置せしめられる。
【００２７】
従って、多数の商品３は背表紙３ａを正面に向けて棚板２に載置されるが、販促用のための特定の展示用商品３Ａは表側表紙３ｂを正面に向けて展示せしめられる。そこで、この部分に位置するスタンド部材５は、アーム部５ｂを伏臥せしめることにより受部５ａを展示使用位置Ｐ１に位置せしめられ、受部５ａにより展示用商品３Ａの背部を支持する。この際、アタッチメント１２の折曲部１２ｂにより展示用商品３Ａの底部を保持する。このようにして、展示用商品３Ａは、転倒する虞れなく、好適に展示されることになる。
【００２８】
（第１使用例その２）
図２は、規制部材４の長面部４ａを棚板２の奥行き方向に向けて設置し、該規制部材４の直立した短面部４ｂから前側に延びる棚板２の有効奥行き寸法Ｗ１を小さく形成せしめた使用例であり、棚板２は、前端近傍に凹部２ａを形成している。商品３の載置方法は、図１の場合と同様であるが、図２の場合、スタンド部材５は、受部５ａの受板部７からアタッチメント１２を取外している。
【００２９】
図２の場合、表側表紙３ｂを正面向きとされた展示用商品３Ａは、底部を棚板２の凹部２ａに支持されており、棚板２から滑落することはないので、スタンド部材５は、アタッチメント１２を必ずしも必要としない。即ち、アタッチメント１２を取外した状態で、受部５ａにより展示用商品３Ａを背部から支持する。
【００３０】
（第２使用例その１）
図３は、規制部材４の短面部４ｂを棚板２の奥行き方向に向けて設置し、該規制部材４の直立した長面部４ａから前側に延びる棚板２の有効奥行き寸法Ｗ２を大きく形成せしめた使用例であり、棚板２は、上面の全体を平坦面に形成している。スタンド部材５は、枢軸９を介してアーム部５ｂを起立位置（格納位置Ｐ２）と伏臥位置（展示使用位置Ｐ１）の間で回動可能とするように構成され、受部５ａの受板部７にはアタッチメント１２を取付けている。
【００３１】
この使用例において、商品３は背部を規制部材４の長面部４ａに当接せしめるように棚板２の奥行き方向に沿わせて起立載置され、多数の商品３が棚板２の長手方向に横向き積層状に重ね合わせて陳列せしめられ、この部分に位置するスタンド部材５は、アーム部５ｂを起立せしめることにより受部５ａを規制部材４の上方の格納位置Ｐ２に位置せしめている。
【００３２】
従って、多数の商品３は背表紙３ａを正面に向けて棚板２に載置されるが、販促用のための特定の展示用商品３Ａは表側表紙３ｂを正面に向けて展示せしめられる。そこで、この部分に位置するスタンド部材５は、アーム部５ｂを伏臥せしめることにより受部５ａを展示使用位置Ｐ１に位置せしめ、受部５ａにより展示用商品３Ａの背部を支持する。また、アタッチメント１２の折曲部１２ｂにより展示用商品３Ａの底部を保持する。このようにして、展示用商品３Ａは、転倒する虞れなく、好適に展示されることになる。
【００３３】
（第２使用例その２）
図４は、規制部材４の短面部４ｂを棚板２の奥行き方向に向けて設置し、該規制部材４の直立した長面部４ａから前側に延びる棚板２の有効奥行き寸法Ｗ２を大きく形成せしめた使用例であり、棚板２は、前端近傍に凹部２ａを形成している。商品３の載置方法は、図３の場合と同様であるが、図４の場合、スタンド部材５は、受部５ａの受板部７からアタッチメント１２を取外している。
【００３４】
図４の場合、表側表紙３ｂを正面向きとされた展示用商品３Ａは、底部を棚板２の凹部２ａに支持され、棚板２から滑落することはないので、スタンド部材５は、アタッチメント１２を必ずしも必要としない。即ち、アタッチメント１２を取外した状態で、受部５ａにより展示用商品３Ａを背部から支持する。
【００３５】
（溝手段の他の実施例）
図６は、規制部材４に設けた溝手段８の他の実施例を示しており、溝手段８は、断面矩形とされた規制部材４の周方向に対してほぼコ字形に形成され、長溝部８ａの両端に短溝部８ｂ、８ｂを連通状に連設せしめている。溝手段８をほぼコ字形に形成する際、図例の場合は、溝手段８を規制部材４の長面部４ａ（又は４ａａ）から一対の短面部４ｂ、４ｂｂに向けて延設した構成を示しているが、溝手段８を規制部材４の短面部４ｂ（又は４ｂｂ）から一対の長面部４ａ、４ａａに向けて延設するように構成しても良い。
【００３６】
この実施例によれば、図６（Ａ）に示すように、規制部材４を長面部４ａａを下向きに設置した状態において、スタンド部材５は、アーム部５ｂを短溝部８ｂを介して短面部４ｂの前方位置に回動せしめた展示使用位置Ｐ１と、アーム部５ｂを長溝部８ａを介して長面部４ａの上方に起立するよう位置せしめた格納位置Ｐ２との間でシフト可能である。
【００３７】
そして、図６（Ｂ）に示すように、規制部材４を短面部４ｂを下向きに設置した状態においても、スタンド部材５は、アーム部５ｂを長溝部８ａを介して長面部４ａの前方位置に回動せしめた展示使用位置Ｐ１と、アーム部５ｂを短溝部８ｂを介して短面部４ｂｂの上方に起立するよう位置せしめた格納位置Ｐ２との間でシフト可能である。
【００３８】
従って、上述したような棚板２の有効奥行き寸法Ｗ１、Ｗ２に対応せしめるように規制部材４の設置姿勢を変更した場合でも、規制部材４にスタンド部材５を取付けたままの状態で、該スタンド部材５を展示使用位置Ｐ１と格納位置Ｐ２との間においてシフトできるという効果がある。
【００３９】
（付加的実施例）
図７は、上記構成の商品展示補助装置に対して更に有益な実施例、即ち、規制部材４の長手方向調整手段１６と、奥行き調整手段１７を付加した構成を示している。
【００４０】
一般的に、通常の書店において使用されている陳列棚における棚板２の長手方向寸法（内寸）は、７７０ｍｍと８７０ｍｍの２種類が存在している。従って、規制部材４を提供するに際して、７７０ｍｍと８７０ｍｍのそれぞれに対応する２種類を準備しなければならないとすると、コスト高を生じることが不可避である。そこで、図７に示すように、規制部材４は、その長手方向に関して複数本に分割され、分割された隣り合う分割体の間において、一方の凹部１８に他方の凸部１９を伸縮自在かつ摺動自在に挿入することにより長手方向調整手段１６を構成している。従って、この長手方向調整手段１６により規制部材４の全長を調整可能とし、前記２種類の長手方向寸法とされた何れの棚板にも適用可能なように構成している。
【００４１】
上述したように、規制部材４は、棚板２の奥行き方向に関して、長面部４ａを利用したときの棚板の有効奥行き寸法Ｗ１と、短面部４ｂを利用したときの棚板の有効奥行き寸法Ｗ２を相違せしめることにより、奥行きの調整を可能にしている。然しながら、それ以上の奥行きの調整を可能にするため、図６に示すような奥行き調整手段１７を付加することが好ましい。このような奥行き調整手段１７は、規制部材４が棚板２の奥端部に設置されたとき、背板１に当接されるべき面、即ち、図７（Ａ）に示すような短溝部８ｂを設けた短面部４ｂと反対側の短面部４ｂｂ、図７（Ｂ）に示すような長溝部８ａを設けた長面部４ａと反対側の長面部４ａａのそれぞれに、着脱自在又は格納自在なスペーサ部材２０を設けることにより達せられる。図例の場合、短面部４ｂｂと長面部４ａａに跨がって連通状に連設された取付溝２１に対してスペーサ部材２０のリブ２２を着脱自在に固着する構成としているが、このような構成に限定されるものではない。
【００４２】
（長手方向調整手段の別の実施例）
図８は、長手方向調整手段１６の別の実施例を示している。前述のように陳列棚における棚板２の長手方向寸法（内寸）に関して、７７０ｍｍと８７０ｍｍの２種類が存在する場合、規制部材４は棚板２の長手方向に対して３分割された３本のものから構成され、各１本宛の規制部材４の長さ寸法Ｌが２８９ｍｍとなるように構成されている。そして、規制部材４の一端からの長さＬ１が１８９ｍｍ、他端からの長さＬ２が１００ｍｍとなる位置に分離容易溝２３が形成されている。即ち、規制部材４は合成樹脂等により成形されており、分離容易溝２３にカッター等の刃物を挿入することにより切断線Ｃに沿って連結部２３ａを容易に切断することができるように構成されている。
【００４３】
そこで、棚板２の長手方向寸法が８７０ｍｍの場合は、同一長さ寸法Ｌとされた３本の規制部材４を棚板上に連設状に設置する。この場合、３本の規制部材４の全体長さ寸法は８６７ｍｍ（２８９ｍｍ×３）とされているので、棚板の全長にわたり設置される。
【００４４】
一方、棚板２の長手方向寸法が７７０ｍｍの場合は、同一長さ寸法Ｌとされた２本の規制部材４と、分離容易溝２３の切断線Ｃに沿って切断することにより長さ寸法Ｌ１（１８９ｍｍ）とされた１本の規制部材４とを棚板上に連設状に設置する。この場合、３本の規制部材４の全体長さ寸法は７６７ｍｍ（２８９ｍｍ×２＋１８９ｍｍ×１）とされているので、棚板の全長にわたり設置される。
【００４５】
（その他の使用例）
上述した規制部材４とスタンド部材５から構成された商品展示補助装置は、陳列棚のみならず、陳列台等において、図９に示すように展示用商品３Ｂを展示するために使用することができる。例えば、書店の店頭等においては、書籍の商品を陳列台に上下積層せしめると共に、その傍らにおいて、展示用商品３Ｂを伏臥姿勢で浮き上がり状に支持せしめ展示することが行われている。そこで、長溝部８ａを有する長面部４ａを上向きとした状態で規制部材４を陳列台に載置すると共に、アーム部５ｂを起立姿勢にて長溝部８ａの終端に当接せしめ、受部５ａを図示のように水平姿勢からやや傾斜した姿勢でアーム部５ｂにより保持せしめる。図例の場合、受板部７の自由端側が下向きに傾斜しており、該受板部７に取付けたアタッチメント１２の折曲部１２ｂが商品３Ｂの下端を係止することにより支承する。この場合、アタッチメント１２の着脱自在な取付手段１５を回転自在に構成しておけば、アタッチメント１２は、図５に示した常態から図９に矢印で示すように反転せしめるだけで、展示用商品３Ｂを展示するための支持部材として兼用せしめ使用することができる。
【００４６】
【発明の効果】
請求項１に記載の本発明によれば、陳列棚の棚板２に関して使用される規制部材４とスタンド部材５をアーム部５ｂを介して連結した構成であり、その組合せ状態により使用するものであるから、従来のように何れか一方が紛失することによる不便を生じることはない。
【００４７】
この際、スタンド部材５は、受部５ａを棚板２の前端近傍に位置せしめる展示使用位置Ｐ１と、受部５ａを規制部材４の上方に位置せしめた格納位置Ｐ２との間において、該受部５ａをアーム部５ｂを介してシフト可能に構成しているので、表側表紙３ｂを正面向きとした展示用商品３Ａを展示する部分においては、スタンド部材５を展示使用位置Ｐ１に位置せしめることにより、展示用商品３Ａを好適に保持せしめることができ、それ以外の部分においては、スタンド部材５を規制部材４の上方のデッドスペースを利用することにより格納位置Ｐ２に格納せしめ、背表紙３ａを正面向きとした多数の商品３を横向き積層状に陳列することができるという効果がある。
【００４８】
そして、請求項２に記載の本発明によれば、アーム部５ｂを規制部材４の溝手段８に内嵌せしめた状態で回動せしめる構成であるから、規制部材４を断面長方形に形成し、棚板２の奥行き方向に対して、長面部４ａを利用することにより棚板の有効奥行き寸法Ｗ１を小さく構成する場合と、短面部４ｂを利用することにより棚板の有効奥行き寸法Ｗ２を大きく構成する場合の何れにおいても、スタンド部材５を展示使用位置Ｐ１と格納位置Ｐ２の間で好適に回動できる構成とすることが可能になるという効果がある。
【００４９】
更に、請求項３に記載の本発明によれば、スタンド部材５の受部５ａにアタッチメント１２を設けた構成であるから、展示使用位置Ｐ１にシフトせしめたスタンド部材５により展示用商品３Ａを保持するに際し、アタッチメント１２の折曲部１２ｂにより展示用商品３Ａの底部を係止できるので、展示用商品３Ａが棚板２から滑落することを好適に防止できるという効果がある。
【図面の簡単な説明】
【図１】本発明の１実施形態に関する第１使用例その１を示す斜視図である。
【図２】本発明の１実施形態に関する第１使用例その２を示す斜視図である。
【図３】本発明の１実施形態に関する第２使用例その１を示す斜視図である。
【図４】本発明の１実施形態に関する第２使用例その２を示す斜視図である。
【図５】本発明の１実施形態を拡大して示す斜視図である。
【図６】溝手段の他の実施例を示す斜視図であり、（Ａ）は規制部材の長面部を下向き設置した設置例を示す斜視図、（Ｂ）は規制部材の短面部を下向き設置した設置例を示す斜視図である。
【図７】本発明の付加実施例としての長手方向調整手段と奥行き調整手段を示しており、（Ａ）は規制部材の短面部を正面向きとして示す斜視図、（Ｂ）は規制部材の長面部を正面向きとして示す斜視図である。
【図８】長手方向調整手段の別の実施例を示す斜視図である。
【図９】本発明の１実施形態に関するその他の使用例を示す斜視図である。
【符号の説明】
１    背板
２    棚板
３    商品
３Ａ、３Ｂ  展示用商品
４    規制部材
４ａ、４ａａ  長面部
４ｂ、４ｂｂ  短面部
５    スタンド部材
５ａ  受部
５ｂ  アーム部
８    溝手段
９、１０  枢軸
１２    アタッチメント
１２ｂ  折曲部
１５    取付手段
１６    長手方向調整手段
１７    奥行き調整手段
【図１】
2004174144.tif 000003
【図２】
2004174144.tif 000004
【図３】
2004174144.tif 000005
【図４】
2004174144.tif 000006
【図５】
2004174144.tif 000007
【図６】
2004174144.tif 000008
【図７】
2004174144.tif 000009
【図８】
2004174144.tif 000010
【図９】
2004174144.tif 000011